(57)【要約】【課題】表示パネルを用いた表示装置を壁面または天井面に設置する場合にメンテナンスし易くする。【解決手段】本表示装置１では、外郭ケース２は壁面２１、天井面２４に取付可能とされる。外郭ケース２内に、表示パネル３と、回路部４と、これらを支持する支持フレーム５とが配置される。外郭ケース２の前面２ｇに表示部としての前面パネル７が配置される。外郭ケース２の側面部２ｃ，２ｄにメンテナンス用の開口２７が設けられ、この開口２７を開閉可能な蓋としての側板１２，１３が設けられる。回路部４のコネクタ３５，４０、スイッチ３６，４６等の被メンテナンス部材を開口２７に臨んで配置する。外郭ケース２の後面部２ｆを開放できない場合であっても、開口２７を通じて容易にメンテナンスできる。【選択図】  図４
2004347715.tif 000002
【特許請求の範囲】
【請求項１】
上面部、下面部および後面部の少なくとも一つに取付部を設ける外郭ケースと、この外郭ケースの前面に表示部を配置する表示手段と、外郭ケース内に収容される被メンテナンス部材と、外郭ケースの側面部に設けられるメンテナンス用の開口と、この開口を開閉可能な蓋とを備えることを特徴とする表示装置。
【請求項２】
請求項１に記載の表示装置において、上記被メンテナンス部材の被メンテナンス部が、上記開口に臨んで配置されることを特徴とする表示装置。
【請求項３】
請求項１または２に記載の表示装置において、上記被メンテナンス部材は、表示手段の動作を制御する制御手段の設定を変更するための設定変更手段、および接続部材を接続可能なインタフェースの少なくとも一つを含むことを特徴とする表示装置。
【請求項４】
請求項１から３の何れかに記載の表示装置において、上記外郭ケース内で表示手段を支持する支持フレームを設け、この支持フレームによって上記外郭ケースの上面部と下面部とを連結することを特徴とする表示装置。
【請求項５】
請求項１から４の何れかに記載の表示装置において、上記取付部に取り付けられて天井面または壁面に固定される取付部材をさらに備えることを特徴とする表示装置。
【発明の詳細な説明】
【０００１】
【発明の属する技術分野】
本発明は、例えば、発光素子を点灯、消灯、点滅等させることにより、文字や図形等を表示し、各種情報を伝達する表示装置に関する。
【０００２】
【従来の技術】
上述の表示装置は、文字や図形等を表示するための表示手段として、例えば、多数のＬＥＤを所定形状、例えば、文字形状や格子状に配列した板状の表示パネルを有する。表示パネルは、表示部にＬＥＤの発光により文字等を表示することができる。表示パネルは、表示装置の外郭ケースに収容され、外郭ケースの前面に表示部が配置される（例えば、特許文献１参照。）。
【０００３】
特許文献１に記載の表示装置の外郭ケースは、表示パネルの上下左右の周囲全周を取り囲んで覆うケース前部と、このケース前部の背後に着脱自在に取り付けられるケース後部とを有する。ケース前部が、表示装置の上面、下面、右側面、および左側面を形成し、ケース後部を取り外した状態で後面に開口が形成されるようになっている。
また、表示装置には、天井面または壁面に設置されるものがある。
【０００４】
【特許文献１】
特開平８−２３８９８０号公報
【０００５】
【発明が解決しようとする課題】
ところで、表示装置は、通例、表示内容の変更等のメンテナンスを必要とされる。しかし、表示装置の後面が壁面に接近している場合、特許文献１記載の表示装置では、その後面の開口を開けることができず、そのままでは表示装置をメンテナンスすることができない。
従って、例えば、いったん表示装置を壁面等から取り外し、表示装置を机上等に下ろした状態でメンテナンスを行い、メンテナンス終了後に、再度、表示装置を壁面等に設置していた。その結果、メンテナンスに手間がかかっていた。
【０００６】
そこで、本発明の目的は、上述の技術的課題を解決し、ケースの後面を開放できない場合であってもメンテナンスできる表示装置を提供することである。
【０００７】
【課題を解決するための手段および発明の効果】
請求項１に記載の発明は、上面部、下面部および後面部の少なくとも一つに取付部を設ける外郭ケースと、この外郭ケースの前面に表示部を配置する表示手段と、外郭ケース内に収容される被メンテナンス部材と、外郭ケースの側面部に設けられるメンテナンス用の開口と、この開口を開閉可能な蓋とを備えることを特徴とする。この発明によれば、外郭ケースの後面部を開放できない場合であっても、側面部の開口を開けて、この開口を通じて被メンテナンス部材を用いてメンテナンスすることができる。
【０００８】
請求項２に記載の発明は、請求項１において、上記被メンテナンス部材の被メンテナンス部が、上記開口に臨んで配置されることを特徴とする。この発明によれば、開口を通じて被メンテナンス部を容易に用いることができ、メンテナンス作業をより一層容易にできる。
請求項３に記載の発明は、請求項１または２において、上記被メンテナンス部材は、表示手段の動作を制御する制御手段の設定を変更するための設定変更手段、および接続部材を接続可能なインタフェースの少なくとも一つを含むことを特徴とする。この発明によれば、メンテナンス時に、開口を通じて設定変更手段により、制御手段の設定を容易に変更することができる。または、開口を通じて接続部材をインタフェースに接続することにより、接続部材自身やこれを通じて接続される外部の装置を用いて、メンテナンス作業をより一層容易にできる。
【０００９】
請求項４に記載の発明は、請求項１から３の何れかにおいて、上記外郭ケース内で表示手段を支持する支持フレームを設け、この支持フレームによって上記外郭ケースの上面部と下面部とを連結することを特徴とする。この発明によれば、側面部に開口を設けた外郭ケースを補強でき、しかも、支持フレームは、補強用と、表示手段の支持用とに兼用するので、コスト上昇を抑制できる。
請求項５に記載の発明は、請求項１から４の何れかにおいて、上記取付部に取り付けられて天井面または壁面に固定される取付部材をさらに備えることを特徴とする。この発明によれば、本表示装置を、天井面または壁面に容易に設置することができ、例えば、表示装置を壁面に設置した状態のままで、側面部の開口を通じてメンテナンスすることもできる。
【００１０】
【発明の実施の形態】
以下、本発明の一実施形態の表示装置を図面を参照しつつ説明する。図１は、本発明の一実施形態の表示装置の一部断面斜視図である。図１を参照する。
表示装置１は、外郭ケース２と、外郭ケース２に取り囲まれて情報を表示するための表示手段としての複数の表示パネル３と、表示パネル３の動作を制御する制御手段としての回路部４と、外郭ケース２に支持されて複数の表示パネル３および回路部４を支持する支持フレーム５とを有する。支持フレーム５と外郭ケース２とは、互いに連結されて、表示パネル３を保持する表示装置本体６として機能する。複数の表示パネル３、回路部４および支持フレーム５は、一体的に扱うことができるユニットをなし、このユニットは、外郭ケース２内に配置されている。
【００１１】
各表示パネル３は、複数のＬＥＤ（図示せず）と、複数のＬＥＤを前面側にマトリックス状に配列して保持する保持板（図示せず）とを有している。表示パネル３には、複数のＬＥＤと対向してその前面側に、透光性部材からなり表示手段の表示部としての前面パネル７が設けられている。具体的には、一枚板状の単一の前面パネル７が、左右方向に沿って連設される複数の表示パネル３に対向して、外郭ケース２に支持されて、外郭ケース２の前面に配置される。回路部４の制御により、複数の表示パネル３のＬＥＤを所望のパターンで発光させて、表示部としての前面パネル７に所望の情報を表示することができる。
【００１２】
なお、以下の説明では、横長の表示部が前向きに配置される場合の正面視を基準にして方向を説明し、各図には必要に応じて上向き矢印ＡＵ、前向き矢印ＡＦ、右向き矢印ＡＲを図示するが、表示部の形状は縦長、正方形としてもよい。
外郭ケース２は、一方向、例えば、左右に長い略直方体形状をなし、上面部２ａ、下面部２ｂ、右側面部２ｃ、左側面部２ｄ、前面部２ｅ、および後面部２ｆを有する。具体的には図１と図２を参照して、外郭ケース２は、上述の表示パネル３の上下左右を取り囲む四角環状をなして配置される外枠８と、外枠８に着脱可能に取り付けられる後板９とを有している。外枠８は、上板１０、下板１１、右側板１２、左側板１３、および四隅のコーナ部を形成する樹脂製の複数の、例えば、４つのコーナ枠１４，１５，１６，１７とを有する。
【００１３】
上板１０、下板１１、右側板１２および左側板１３は、金属、例えば、アルミニウム合金押出し材により形成され、それぞれの部材１０〜１３が延びる方向について同一断面形状とされ、その延びる方向についての長さを自在に設定できる。表示装置１の仕様、例えば、上下方向についての表示パネル３の数である段数や、表示部に表示可能な左右方向についての文字数等が異なる場合であっても、上板１０、下板１１、右側板１２および左側板１３の長さを異ならせることにより、異なる仕様に対応する外郭ケース２を共通の板材を利用して実現できる。
【００１４】
支持フレーム５は、外郭ケース２の前面２ｇと平行に配置される板部５ａと、この板部５ａの上端縁から屈曲状に延設された上フランジ５ｂと、板部５ａの下端縁から屈曲状に延設された下フランジ５ｃとを有し、断面溝形をなす。両フランジ５ｂ，５ｃには、対応する上板１０および下板１１と連結するための連結部としての雌ねじ孔が設けられている。連結ボルト１８ａを、上板１０および下板１１の挿通孔に通して、対応するフランジ５ｂ，５ｃの雌ねじ孔にねじ込む。これにより、支持フレーム５の上下フランジ５ｂ，５ｃと対応する上板１０および下板１１とを面当たり状態で剛性連結でき、支持フレーム５が上板１０と下板１１とを互いに連結する。
【００１５】
本表示装置１は以下のように組み立てられる。例えば、先ず、支持フレーム５に複数の表示パネル３および回路部４を組み付ける。次に、支持フレーム５に上板１０および下板１１をボルト１８ａにより固定する。次に、４つのコーナ枠１４，１５，１６，１７を対応する上下板１０，１１の左右の端部にボルト１８ｂにより固定する。両側板１２，１３を、支持フレーム５にボルト１８ｃにより直接に固定する。
【００１６】
図１に戻って説明する。外郭ケース２の上面部２ａは、外枠８の上板１０と、その右左両側の２つのコーナ枠１４，１６の対応する一部分１４ａ，１６ａとにより形成される。下面部２ｂは、外枠８の下板１１と、その右左両側の２つのコーナ枠１５，１７の対応する一部分１５ａ，１７ａとにより形成される。右側面部２ｃは、外枠８の右側板１２と、その上下両側の２つのコーナ枠１４，１５の対応する一部分１４ｂ，１５ｂとにより形成される。左側面部２ｄは、外枠８の左側板１３と、その上下両側の２つのコーナ枠１６，１７の対応する一部分１６ｂ，１７ｂとにより形成される。外郭ケース２の後面部２ｆは、後板９および外枠８の後側部分により形成される。外郭ケース２の前面部２ｅは、外枠８の前側部分により枠形状に形成され、前面２ｇを有する。この前面２ｇに、前面パネル７が前方から視認できるように配置される。
【００１７】
また、外郭ケース２の上面部２ａおよび下面部２ｂには、複数、例えば、４つの取付部２０が設けられている。取付部２０は、上板１０および下板１１に形成された雌ねじ孔からなり、本表示装置１を設置面としての壁面２１（一部を図示）に取付部材２２を介して取り付けるために用いられる。
取付部材２２は、断面Ｌ字形形状をなし、複数の挿通孔２２ａ，２２ｂを有する。固定ボルト２３ａを取付部材２２の挿通孔２２ａに通して取付部２０にねじ込むことにより、取付部材２２を取付部２０に固定する。固定ボルト２３ｂを取付部材２２の挿通孔２２ｂに通して設置面に設けられた雌ねじ孔２１ａにねじ込むことにより、取付部材２２を設置面に支持する。外郭ケース２の上面部２ａおよび下面部２ｂを、対応する複数、例えば、２つずつの取付部材２２を介して、設置面に固定する。
【００１８】
また、図３に示すように、本表示装置１を設置面としての天井面２４に設置することも考えられる。例えば、天井面２４に固定される第１の取付部材２５と、この第１の取付部材２５に上端を吊り下げ支持される柱状の第２の取付部材２６とが用いられる。第２の取付部材２６の下端を、外郭ケース２の上面部２ａの取付部２０に固定ボルト２３ａにより固定する。これにより、本表示装置１が天井面２４に支持される。
【００１９】
図４を参照して、本実施形態の表示装置１では、外郭ケース２の右側面部２ｃに、メンテナンス用の開口２７と、開口２７を開閉可能な蓋としての上述の右側板１２とが設けられる。同様に、図５Ｂを参照して、外郭ケース２の左側面部２ｄに、メンテナンス用の開口２７と、この開口２７を開閉可能な蓋としての上述の左側板１３とが設けられる。なお、開口２７およびその蓋については、図４を参照して外郭ケース２の右側面部２ｃに則して説明するが、左側面部２ｄについても同様に構成される。
【００２０】
側板１２は、支持フレーム５に設けられる雌ねじ孔に取り外し可能にボルト１８ｃによりねじ止めされて係止され、係止状態で対応する開口２７を覆って閉じる。ねじ止めを解除して、側板１２を支持フレーム５から取り外すことにより、対応する開口２７が開放される。
開口２７は、上下方向について外郭ケース２の右側面部２ｃの中央部に形成される。具体的には、開口２７は、上下に並ぶ２つの対応するコーナ枠１４，１５の対応する一部分１４ｂ，１５ｂと、前面パネル７の対応する右側端縁と、後板９の対応する右側端縁とにより区画される。開口２７は、対応する右側方に向けて開放され、外郭ケース２の前面２ｇおよび後面の対応する側端部の一部を開放する。
【００２１】
これにより、外郭ケース２の後面部２ｆを開放できない場合であっても、右側面部２ｃの開口２７を開けて、この開口２７を通じて、後に詳述するように表示内容の変更等のメンテナンスをすることができる。
また、表示装置１は、外郭ケース２の取付部２０に取り付けられて壁面２１等の設置面に固定される取付部材２２を有してもよい。本表示装置１を、天井面２４または壁面２１に容易に設置でき、設置した状態のままで、側板１２を着脱でき、開口２７を通じてメンテナンスすることもできる。従って、メンテナンスの際に、設置された表示装置１を取り外したり、再度取り付けたりするための手間を掛けずに済み、メンテナンス作業をより一層容易にできる。
【００２２】
また、壁面２１に設置した状態の表示装置１に対して、左側の開口２７を通じて、設置時の配線作業をすることもでき、配線作業の自由度が高まり、設置作業の手間を軽減することもできる。
また、本表示装置１を天井面２４に設置する場合（図３参照）にも、同様の効果を得ることができ、例えば、天井面２４に設置したままで開口２７からメンテナンスすることができる。
【００２３】
メンテナンスは、回路部４に対して行われる。
図５Ａおよび図５Ｂを参照する。表示装置１の回路部４は、複数の表示パネル３の動作を制御するための制御中枢部２８と、制御中枢部２８に対して信号を入出力するための複数、例えば、３つの入出力部２９，３０，３１と、外部の商用電源に接続するための端子台およびこれを支持する回路基板とを含む接続部３２と、接続部３２と接続されて外部からのノイズおよびサージを抑制するためのフィルタを含むフィルタ部３３と、フィルタ部３３に接続されるスイッチング電源装置３４とを有する。
【００２４】
制御中枢部２８は、マイクロコンピュータと、記憶手段としてのメモリと、これらを電気的に接続して支持する回路基板とを有する。
複数の入出力部２９，３０，３１は、選択的に利用可能とされ、相異なる接続部材にそれぞれ対応して接続可能とされ、制御中枢部２８にそれぞれ接続されている。何れの入出力部２９，３０，３１を利用するかを予め設定するための設定変更手段としてのスイッチ（図示せず）が設けられていて、このスイッチによる設定に基づき、第１〜第３の入出力部２９，３０，３１のなかの一つが選択されて、利用可能となる。
【００２５】
第１の入出力部２９は、複数の通信方式に共用可能なインタフェースとしてのコネクタ３５と、複数の通信方式の何れか一つを選択するために回路部４の設定を変更する設定変更手段としてのスイッチ３６と、コネクタ３５およびスイッチ３６を実装して支持する回路基板３７とを有する。第１の入出力部２９のコネクタ３５は、外部からの信号線３８の端部に設けられる接続部材としてのコネクタ３９を接続可能とされる。
【００２６】
第２の入出力部３０は、インタフェースとしてのコネクタ４０と、コネクタ４０を実装して支持する回路基板４１とを有する。コネクタ４０は、外部の信号線４２の端部の接続部材としてのコネクタ４３を接続可能とされる。
第３の入出力部３１は、接続部材としての所定のメモリカード４４を接続可能なインタフェースとしてのメモリカード接続装置４５と、メモリカード接続装置４５を動作させるために回路部４の設定を変更するための設定変更手段としてのスイッチ４６と、メモリカード接続装置４５およびスイッチ４６を実装して支持する回路基板４７とを有する。
【００２７】
図５Ｂを参照して、支持フレーム５の前面の中央部には、複数、例えば、４つの表示パネル３が左右方向に沿って並んで配置される。また、開口２７に臨んで、前面の右側および左側端部に第２の入出力部３０および接続部３２が配置される。図５Ａを参照して、支持フレーム５の後面の中央部には、制御中枢部２８と、スイッチング電源装置３４と、フィルタ部３３とが配置される。また、開口２７に臨んで、後面の右側および左側端部に第３および第１の入出力部３１，２９が配置される。
【００２８】
本表示装置１では、コネクタ３５，４０、スイッチ３６，４６、およびメモリカード接続装置４５は、表示内容の変更、本表示装置１の機能の維持等のためのメンテナンス作業に用いる被メンテナンス部材として機能する。
各スイッチ３６，４６は、必要に応じて内部回路をオンオフするための被メンテナンス部としての操作子３６ａ，４６ａをそれぞれ有する。各コネクタ３５，４０は、対応する相手方コネクタ３９，４３と連結するための被メンテナンス部としての連結部３５ａ，４０ａを有する。メモリカード接続装置４５は、メモリカード４４を装着可能な被メンテナンス部としての装着部４５ａを有する。
【００２９】
図５Ａおよび図５Ｂを参照して、被メンテナンス部としての操作子３６ａ，４６ａ、連結部３５ａ，４０ａ、および装着部４５ａは、外郭ケース２内の支持フレーム５の左右の端部に、開口２７に臨んで、より好ましくは開口２７に近接した位置に、さらにより好ましくは対応する外郭ケース２の端部の外側方から操作できるように配置されることが、メンテナンス作業にとって好ましい。開口２７を通じて各被メンテナンス部材を容易に用いることができ、メンテナンス作業をより一層容易にできる。
【００３０】
さらに、被メンテナンス部としての操作子３６ａ，４６ａ、連結部３５ａ，４０ａおよび装着部４５ａは、側面視で、開放された開口２７を通じて見えるように配置され、これにより、メンテナンス作業がより一層容易になる。
例えば、右側端部に配置されるコネクタ４０の連結部４０ａは、相手方のコネクタ４３を右側の外側方から対応する開口２７を通じて連結するように、コネクタ４３を連結する連結方向を左右方向に沿って設定されている。右側端部に配置されるスイッチ４６の操作子４６ａは、右側から対応する開口２７を通じて操作するようにされている。右側端部に配置されるメモリカード接続装置４５の装着部４５ａは、メモリカード４４を右側の外側方から、対応する開口２７を通じて装着するように、メモリカード４４を装着する装着方向を左右方向に沿って設定されている。
【００３１】
各スイッチ３６，４６の操作子３６ａ，４６ａを、メンテナンス時に開口２７を通じて手動により操作することにより、各スイッチ３６，４６の内部回路を切替操作することができ、ひいては、回路部４の設定を容易に変更することができる。例えば、第１の入出力部２９のスイッチ３６の操作子３６ａを操作することにより、第１の入出力部２９の通信方式を切り替えることができる。
各コネクタ３５，４０は、複数の端子（図示せず）と、これら端子を予め定めた位置に保持するコネクタハウジング（図示せず）とをそれぞれ有している。コネクタ３５，４０の連結部３５ａ，４０ａは、コネクタハウジングに形成されて相手方コネクタ３９，４３を保持する部分（図示せず）と、上述の端子とを有する。各コネクタ３５，４０の連結部３５ａ，４０ａは、対応するコネクタ３９，４３の連結部３９ａ，４３ａと着脱可能に連結され、この状態で、その対応する対をなす端子同士が電気的に互いに接続される。
【００３２】
メンテナンス時に開口２７を通じて一対のコネクタ３５，３９を接続することにより、コネクタ３９につながる外部の機器４８と、コネクタ３５につながる制御中枢部２８とを電気的に接続することができる。これにより、外部の機器４８にあるデータを信号として制御中枢部２８に入力したり、制御中枢部２８にあるデータを信号として外部の機器４８へ出力したりすることができる。外部の機器４８を用いて、メンテナンス作業をより一層容易にできる。
【００３３】
同様に、対応する一対のコネクタ４０，４３も、機械的に連結された状態で電気的に互いに接続されて、信号の入出力に利用することができる。
メモリカード接続装置４５の装着部４５ａは、メモリカード４４を着脱可能に係止できるスロット部（図示せず）と、スロット部の奥に配置されてスロット部に係止されたメモリカード４４の内部端子と電気的に接続できる端子（図示せず）を有する。
【００３４】
メンテナンス時に開口２７を通じてメモリカード４４を装着部４５ａに装着でき、メモリカード４４を装着した状態で、スイッチ４６の操作子４６ａを操作することにより、メモリカード４４に記憶されたデータを、メモリカード接続装置４５により制御中枢部２８に入力することができる。また、制御中枢部２８にあるデータを、メモリカード接続装置４５によりメモリカード４４に書き込み記憶させることができる。このメモリカード４４を用いて、メンテナンス作業をより一層容易にできる。
【００３５】
開口２７を通じて各入出力部２９，３０，３１を利用して、制御中枢部２８に信号を入力し、また、制御中枢部２８のメモリに記憶されたデータを書き換えることができる。これにより、表示パネル３の表示内容やその動作を変更することができる。また、開口２７を通じて各入出力部２９，３０，３１を利用して、制御中枢部２８から、表示装置１の状態を示すデータを出力でき、このデータに基づき表示装置１を表示にとって良好な状態に維持することができる。
【００３６】
図１および図２を参照して、支持フレーム５が、外郭ケース２内に配置されて、表示手段の一部となる表示パネル３を支持し、且つ外郭ケース２の上面部２ａの上板１０と下面部２ｂの下板１１とを互いに連結するのが、好ましい。これにより、支持フレーム５は、両側面部２ｃ，２ｄに開口２７を設けた外郭ケース２を補強でき、しかも、補強用部材と必須の構成である表示手段の支持用部材とに兼用されるので、コスト上昇を抑制できる。また、外郭ケース２を補強できるので、メンテナンス用の開口２７を大きくでき、メンテナンス作業をし易くすることができる。例えば、開口２７を、側面部２ｃ，２ｄから前面２ｇおよび後面に回り込むように形成することができ、また、外枠８の一部を蓋に兼用できる。
【００３７】
支持フレーム５は、対応する上板１０および下板１１とを剛性連結でき、外郭ケース２の補強効果をより一層高めることができる。また、曲げ加工により屈曲状に形成された部分としてのフランジ５ｂ，５ｃを設けることにより、支持フレーム５の強度を高めることができる。また、補強するために、支持フレーム５の板厚を厚くすること、Ｌ字形アングル材を取り付けることも考えられる。
また、本実施形態では、支持フレーム５の連結部としての雌ねじ孔は、外部の取付部材２２と直接に連結することができる。また、情報を表示するために必要な部品、例えば、回路部４、表示パネル３等を支持フレーム５に取り付けた上述のユニットを、外郭ケース２を省略して利用できるようにした。外郭ケース２を取り外した状態で、上述のユニット単独で設備等の内部に設置する、いわゆるオープンフレーム構造とすることもできる。
【００３８】
なお、上述の取付部２０を後面部２ｆに設けることも考えられる。
第１〜第３の入出力部２９，３０，３１を選択して利用するためのスイッチを、スイッチ３６等と同様に、例えば、開口２７に臨んで配置してもよい。
開口２７を、外郭ケース２の側面部２ｃ，２ｄの略全体を開放するように形成してもよく、また、このような外郭ケース２の側面部２ｃ，２ｄに着脱可能に蓋を取り付けるようにしてもよい。また、蓋を、外郭ケース２に係止してもよい。また、上板１０と下板１１とを両側板１２，１３を介して連結し、側板１２，１３に開口２７を設けることも考えられる。
【００３９】
表示手段としては、発光素子としてのＬＥＤを用いた表示パネル３の他、液晶表示パネル等を用いてもよい。その他、本発明の特許請求の範囲で種々の変更を施すことが可能である。
【図面の簡単な説明】
【図１】本発明の一実施形態の表示装置の一部断面斜視図であり、壁面への取付部材も分解状態で図示してある。
【図２】図１に示す表示装置の外郭ケースの分解図である。
【図３】図１に示す表示装置を天井面へ設置する場合の模式図であり、取付部材を分解状態で図示してある。
【図４】図１に示す表示装置の要部の斜視図であり、外郭ケースの側板を取り外して開口を形成した状態を示す。
【図５】図１に示す表示装置の内部の概略配置を示す模式図であり、背後から見た配置を図５Ａに、正面からみた配置を図５Ｂに示す。
【符号の説明】
１  表示装置
２  外郭ケース
２ａ  外郭ケースの上面部
２ｂ  外郭ケースの下面部
２ｃ，２ｄ  外郭ケースの側面部
２ｆ  外郭ケースの後面部
２ｇ  外郭ケースの前面
３  表示パネル（表示手段）
４  回路部（制御手段）
５  支持フレーム
７  前面パネル（表示手段の表示部）
１２  右側板（蓋）
１３  左側板（蓋）
２０  取付部
２１  壁面
２２  取付部材（壁面に取り付けられる取付部材）
２４  天井面
２５，２６  取付部材（天井面に取り付けられる取付部材）
２７  開口
３５，４０  コネクタ（インタフェース、被メンテナンス部材）
３５ａ，４０ａ  コネクタの連結部（被メンテナンス部）
３６，４６  スイッチ（設定変更手段、被メンテナンス部材）
３６ａ，４６ａ  操作子（被メンテナンス部）
３９，４３  コネクタ（接続部材）
４４  メモリカード（接続部材）
４５  メモリカード接続装置（インタフェース、被メンテナンス部材）
４５ａ  装着部（被メンテナンス部）
【図１】
2004347715.tif 000003
【図２】
2004347715.tif 000004
【図３】
2004347715.tif 000005
【図４】
2004347715.tif 000006
【図５】
2004347715.tif 000007